(57)【要約】【課題】保護カバーに設置する磁気式近接センサーの故障等の要因を少なくすると共に設備コストの低減を図るフードスライサーにおける安全用スイッチ装置を提供すること。【解決手段】第１保護カバー１０が側部カバー１１に被着された状態においては、シャッター片１１が天部カバーにより押されて回転して磁気式近接センサーのコンタクト素子の前面を開放し、この状態で第２保護カバーが取り付けられている場合に、マグネット素子の磁気作用によってコンタクト素子内の接点は閉じる。フードスライサーの運転中に天部カバーが外されたときには、シャッター片が回転してコンタクト素子の前面にその一部を進出させるので、コンタクト素子内の接点は開く。第２保護カバーが外されたときにも、コンタクト素子内の接点は開く。これにより、フードスライサーの運転は直ちに停止される。【選択図】　図３
2004071195.tif 000002
【特許請求の範囲】
【請求項１】
刃物が装着される駆動軸を設けた切断処理ケースの背部に、投入される被切断物をそのケース内に送り込むための供給手段を設け、その駆動軸を回転駆動させる駆動部を覆うように設けられた第１保護カバーと、その供給手段の少なくとも一部を覆うように設けられた第２保護カバーとの間に安全用スイッチを関連するように設け、運転中に第１保護カバー又は第２保護カバーの何れかが外され又は開けられたときに、その安全用スイッチを動作させることによって運転を直ちに停止させるように構成されたフードスライサーにおいて、
前記安全用スイッチをコンタクト素子とマグネット素子とからなる磁気式近接センサーとし、
前記第１保護カバーを構成する側部カバーの適宜位置に、そのコンタクト素子を取り付けると共に強磁性材料からなるシャッター片を垂直方向に揺動可能に設け、かつ、第１保護カバーを構成する天部カバーがその側部カバーに上方から被着された状態にて、前記シャッター片はその上端を該天部カバーにより押されて前記コンタクト素子の前面を開放し、他方、その天部カバーが前記側部カバーから外され又は開けられた場合には、前記シャッター片が揺動してその一部を前記コンタクト素子の前面に進出するように設け、
さらに、前記第２保護カバーに設けられる前記マグネット素子を、前記シャッター片を介して前記コンタクト素子の前面に対向するように配置したことを特徴とするフードスライサーにおける安全用スイッチ装置。
【請求項２】
前記第１保護カバーに前記磁気式近接センサーのマグネット素子を設け、前記第２保護カバーに前記コンタクト素子とシャッター片とを設けたことを特徴とする請求項１に記載のフードスライサーにおける安全用スイッチ装置。
【発明の詳細な説明】
【０００１】
【発明の属する技術分野】
本発明は、フードスライサーにおける安全用スイッチ装置に関する。
【０００２】
【従来の技術】
従来のフードスライサーとして、本件出願人にかかるものが特開２００２−１３９１１３号公報に開示されている。そのフードスライサーは、刃物が装着される駆動軸を設けた切断処理ケースの背部に、大根や葱などの被切断物をそのケース内に送り込むための、搬送ベルトを水平に配置した搬送ベルト装置と先端部を該ベルトの上面に付勢するように設けられた押えベルト装置とからなる供給手段が設けられている。このタイプのフードスライサーには、作業者の安全を確保するために、図９に示すような安全用スイッチ装置ｘが設けられている。
【０００３】
安全用スイッチ装置ｘを設置する保護カバーは、前記駆動軸を回転駆動させる駆動部を覆うように設けられた側部カバーｂとこれに被着する天部カバーｃとからなる第１保護カバーａと、主に前記供給手段の押えベルト装置部分を覆うように設けられた第２保護カバーｄとで構成されているものとする。そして、その側部カバーｂの正面内方には磁気式近接センサーＳ１のコンタクト素子ｔを横向きに取り付け、他方、第２保護カバーｄの側面には、マグネット素子ｕをそのコンタクト素子ｔに対向するように取り付けている。さらに、側部カバーｂの正面内方には別の磁気式近接センサーＳ２のコンタクト素子ｖを縦向きに取り付け、他方、天部カバーｃの下面には、マグネット素子ｗをそのコンタクト素子ｖに対向するように取り付けている。
【０００４】
しかして、フードスライサーの運転中において、図１０に示すように第１保護カバーａの天部カバーｃが開けられたときには、磁気式近接センサーＳ２の接点が開放されることにより運転を直ちに停止し、図１１に示すように第２保護カバーｄが外されたときにも、磁気式近接センサーＳ１の接点が開放されることにより運転を直ちに停止させるように運転制御回路に安全用スイッチ装置ｘの検出回路が介装されている。
【０００５】
【発明が解決しようとする課題】
上に述べた従来のフードスライサーにおける安全用スイッチ装置では、２個の磁気式近接センサーを使用しているために、仮に故障や作動不良があったときに、何れの磁気式近接センサー側の故障等であるのかを直ぐに判断することが容易ではなかった。また、磁気式近接センサーを２個使用しているために、１個使用の場合と比べて設備コストが高くなることは否めない。
【０００６】
この発明の目的は、保護カバーに設置される磁気式近接センサーの個数を減らして故障等の要因を少なくすると共に設備コストの低減を図るフードスライサーにおける安全用スイッチ装置を提供することにある。
【０００７】
【課題を解決するための手段】
前記目的を達成するために請求項１に記載した発明は、刃物が装着される駆動軸を設けた切断処理ケースの背部に、投入される被切断物をそのケース内に送り込むための供給手段を設け、その駆動軸を回転駆動させる駆動部を覆うように設けられた第１保護カバーと、その供給手段の少なくとも一部を覆うように設けられた第２保護カバーとの間に安全用スイッチを関連するように設け、運転中に第１保護カバー又は第２保護カバーの何れかが外され又は開けられたときに、その安全用スイッチを動作させることによって運転を直ちに停止させるように構成されたフードスライサーにおいて、
前記安全用スイッチをコンタクト素子とマグネット素子とからなる磁気式近接センサーとし、前記第１保護カバーを構成する側部カバーの適宜位置に、そのコンタクト素子を取り付けると共に強磁性材料からなるシャッター片を垂直方向に揺動可能に設け、かつ、第１保護カバーを構成する天部カバーがその側部カバーに上方から被着された状態にて、前記シャッター片はその上端を該天部カバーにより押されて前記コンタクト素子の前面を開放し、他方、その天部カバーが前記側部カバーから外され又は開けられた場合には、前記シャッター片が揺動してその一部を前記コンタクト素子の前面に進出するように設け、さらに、前記第２保護カバーに設けられる前記マグネット素子を、前記シャッター片を介して前記コンタクト素子の前面に対向するように配置したことを特徴とする。
【０００８】
同様の目的を達成するために請求項２に記載した発明は請求項１に記載のフードスライサーにおける安全用スイッチ装置において、前記第１保護カバーに前記磁気式近接センサーのマグネット素子を設け、前記第２保護カバーに前記コンタクト素子とシャッター片とを設けたことを特徴とするものである。
【０００９】
【発明の作用及び効果】
（請求項１の発明）
第１保護カバーの天部カバーが側部カバーに被着された状態においては、安全用スイッチ装置のシャッター片が天部カバーにより上端を押されて回転するので、磁気式近接センサーのコンタクト素子の前面は開放される。その状態において第２保護カバーが取り付けられ又は閉じられている場合には、マグネット素子の磁気作用によってコンタクト素子内の接点は閉じている。
しかして、フードスライサーは、その接点が閉じている限って運転を継続することができるように電気的に制御される。
【００１０】
つぎに、フードスライサーの運転中に天部カバーが外され又は開けられたときには、安全用スイッチ装置のシャッター片が回転してコンタクト素子の前面にその一部を進出させるので、マグネット素子の磁気作用が及ばなくなり、コンタクト素子内の接点は開く。
また、第２保護カバーが外され又は開けられたときにも、マグネット素子の磁気作用が及ばなくなるので、コンタクト素子内の接点は開く。
しかして、フードスライサーは、その接点が開くことにより運転を直ちに停止するように電気的に制御される。
【００１１】
（請求項２の発明）
この安全用スイッチ装置は、第１保護カバーにマグネット素子を、第２保護カバーにコンタクト素子とシャッター片とを設けているが、その作用については前項の請求項１の発明の作用に準ずるので、説明を省略する。
【００１２】
このフードスライサーにおける安全用スイッチ装置によれば、保護カバーに設置される磁気式近接センサーの個数を従来の安全用スイッチ装置の２個から１個に減らすことができることから、故障等の要因が可及的に少なくなると共に設備コストの低減を図ることができる。
【００１３】
【発明の実施の形態】
以下に、本発明の実施の形態例を図面に基づいて説明する。図１は本発明の安全用スイッチ装置を適用したフードスライサーの側面図、図２は同、平面図、図３は本発明の安全用スイッチ装置を設けた保護カバーの斜視図、図４は磁気式近接センサーの説明図、図５は天部カバーを外した状態を示す安全用スイッチ装置の説明図、図６は第２保護カバーを外した状態を示す安全用スイッチ装置の説明図、図７は磁気式近接センサーの接点が閉じた状態を説明する模式図、図８は磁気式近接センサーの接点が開いた状態を説明する模式図である。
【００１４】
図１において、Ａは本発明の安全用スイッチ装置Ｂを適用したフードスライサーである。このフードスライサーＡの本体１の前面には、刃物が装着される駆動軸（図示せず）を設けた切断処理ケース２を設け、その切断処理ケース２の背部２ａに、大根や葱などの被切断物を該ケース２内に送り込むための、搬送ベルト６を水平に配置した搬送ベルト装置５と、押えベルト８の先端部をその搬送ベルト６の前部上面に向けて図示しないバネによって付勢するように設けた押えベルト装置７とからなる供給手段４が設けられている。
【００１５】
このフードスライサーＡには、駆動軸を回転駆動させる駆動部（図示せず）を覆うように設けられた第１保護カバー１０と、上記押えベルト装置７の正面と側面とを覆うように設けられた第２保護カバー２０とが設けられている。これらの保護カバーは、作業者が機構部分に手等を挟まれるなどにより怪我をしないように安全上の観点から一般的に設けられる。
【００１６】
図３に示すように、第１保護カバー１０は、平面から見てＬ字形に形成された側部カバー１１と、この側部カバー１１に上方から被着する平板状の天部カバー１３とから構成されている。その側部カバー１１の正面１１ａの内方には、強磁性材料からなるほぼＬ字形のシャッター片１５の上部を横軸１６により支持し、そのシャッター片１５を前記正面１１ａと平行で、かつ、垂直方向に揺動可能に設ける。その正面１１ａの内向きのフランジ１１ｂには切欠１２を形成し、その切欠１２からシャッター片１５の上端１５ａが上方に突出するように設けられている。そして、このシャッター片１５は、自重により傾動して下方部分１５ｂを前方に少し跳ね上げた姿勢となり、上端１５ａを前記天部カバー１３によって押されて回転することにより、下方部分１５ｂを後方に持ち上げた姿勢となるように設けられている。
【００１７】
第２保護カバー２０は、天部２０ａ、正面２０ｂ及び右側面２０ｃとにより一体に形成されており、開放された背面側２０ｄを前記側部カバー１１の正面１１ａにあてがうように配設されている。
【００１８】
図４には、本発明の安全用スイッチ装置Ｂに用いる公知の磁気式近接センサー３０を示す。この磁気式近接センサー３０は、素子本体３２にリードスイッチ３３が内蔵されたコンタクト素子３１と、素子本体３６にマグネット３７が埋設されたマグネット素子３５とから構成されている。
【００１９】
上記側部カバー１１の正面１１ａの内方には、前記シャッター片１５の下方部分１５ｂが出没可能となる位置に、上記磁気式近接センサー３０のコンタクト素子３１を横向きに取り付ける。また、第２保護カバー２０の右側面２０ｃには、マグネット素子３５を、前記コンタクト素子３１の前面に対向するように配設する。
【００２０】
つぎに、かかる構成になる本発明の「フードスライサーにおける安全用スイッチ装置」の作動について説明する。
図３に示す第１保護カバー１０の天部カバー１３が側部カバー１１に被着された正常な状態においては、シャッター片１５の上端１５ａが天部カバー１３により押されて下方部分１５ｂを後方に持ち上げた姿勢とされるので、磁気式近接センサー３０のコンタクト素子３１の前面は開放される。この状態において、第２保護カバー２０が取り付けられている場合には、図７に示すように、マグネット素子３５の磁気作用によってコンタクト素子３１のリードスイッチ３３の接点は閉じる。
しかして、フードスライサーＡは、そのリードスイッチ３３の接点が閉じている限り、運転を継続して行うことができるように電気的に制御される。
【００２１】
つぎに、フードスライサーＡの運転中において、図５に示すように、天部カバー１３が開けられたときには、シャッター片１５が自重により傾動して下方部分１５ｂを前方に少し跳ね上げた姿勢となってコンタクト素子３１の前面に進出する。これにより、図８に示すように、マグネット素子３５の磁気作用がコンタクト素子３１に及ばなくなるので、リードスイッチ３３の接点は開く。また、図６に示すように、第２保護カバー２０が外されたときにも、マグネット素子３５の磁気作用が及ばなくなるので、リードスイッチ３３の接点は開く。
しかして、フードスライサーＡは、そのリードスイッチ３３の接点が開いたときに運転を直ちに停止するように電気的に制御される。
【００２２】
以上の通り、このフードスライサーにおける安全用スイッチ装置は、保護カバーに設置される磁気式近接センサーの個数を従来スイッチ装置の２個から１個に減らすことことにより、故障等の要因を極力少なくすると共に設備コストの低減を図ることができる利点がある。
【図面の簡単な説明】
【図１】本発明の安全用スイッチ装置を適用したフードスライサーの側面図
【図２】同、平面図
【図３】本発明の安全用スイッチ装置を設けた保護カバーの斜視図
【図４】磁気式近接センサーの説明図
【図５】天部カバーを外した状態を示す安全用スイッチ装置の説明図
【図６】第２保護カバーを外した状態を示す安全用スイッチ装置の説明図
【図７】磁気式近接センサーの接点が閉じた状態を説明する模式図
【図８】磁気式近接センサーの接点が開いた状態を説明する模式図
【図９】従来の安全用スイッチ装置を設けた保護カバーの斜視図
【図１０】天部カバーを外した状態を示す従来の安全用スイッチ装置の説明図
【図１１】第２保護カバーを外した状態を示す従来の安全用スイッチ装置の説明図
【符号の説明】
Ａ・・・フードスライサー
Ｂ・・・本発明の安全用スイッチ装置
２・・・切断処理ケース
２ａ・・・背部
４・・・供給手段
５・・・搬送ベルト装置
７・・・押えベルト装置
１０・・・第１保護カバー
１１・・・側部カバー
１３・・・天部カバー
１５・・・シャッター片
１５ａ・・・上端
２０・・・第２保護カバー
３０・・・磁気式近接センサー
３１・・・コンタクト素子
３３・・・リードスイッチ
３５・・・マグネット素子
【図１】
2004071195.tif 000003
【図２】
2004071195.tif 000004
【図３】
2004071195.tif 000005
【図４】
2004071195.tif 000006
【図５】
2004071195.tif 000007
【図６】
2004071195.tif 000008
【図７】
2004071195.tif 000009
【図８】
2004071195.tif 000010
【図９】
2004071195.tif 000011
【図１０】
2004071195.tif 000012
【図１１】
2004071195.tif 000013